(57)【要約】【課題】３〜１０日間程度の長期間に亘って使用が可能であり、かつ悪臭の発生を防止できるペット用トイレシステムを提供すること、特に、前記ペット用トイレシステムに供される吸液シートを提供すること。【解決手段】液吸収能を有するペットのトイレ用吸液シートであって、抗菌性及び制菌性を両有する抗菌制菌部を有しているか、若しくは、抗菌性を備える抗菌部及び制菌性を備える制菌部の両方を有していることを特徴とするペットのトイレ用吸液シート。【選択図】      図１
2005006604.tif 000002
【特許請求の範囲】
【請求項１】
液吸収能を有するペットのトイレ用吸液シートであって、
抗菌性及び制菌性を両有する抗菌制菌部を有しているか、若しくは、抗菌性を備える抗菌部及び制菌性を備える制菌部の両方を有していることを特徴とするペットのトイレ用吸液シート。
【請求項２】
前記抗菌性は、カチオン系界面活性剤を含ませることにより付与されるものであることを特徴とする請求項１記載のペットのトイレ用吸液シート。
【請求項３】
前記制菌性は、有機酸を含ませることにより付与されるものであることを特徴とする請求項１または２記載のペットのトイレ用吸液シート。
【請求項４】
前記抗菌性は、抗菌性を付与する成分により付与されるものであり、該抗菌性を付与する成分が、前記トイレ用吸液シート１枚当たり０．１ｇ以上含有されていることを特徴とする請求項１から３いずれか記載のペットのトイレ用吸液シート。
【請求項５】
前記制菌性は、制菌性を付与する成分により付与されるものであり、該制菌性を付与する成分が、前記トイレ用吸液シート１枚当たり０．１〜１０．０ｇ含有されていることを特徴とする請求項１から４いずれか記載のペットのトイレ用吸液シート。
【請求項６】
前記トイレ用吸液シートは、面積が２０００ｃｍ２以下、厚みが１．５〜５．０ｍｍの範囲のものであり、保水量が４００ｇ以上であることを特徴とする請求項１から５いずれか記載のペットのトイレ用吸液シート。
【請求項７】
前記トイレ用吸液シートは、液透過性の表面層と、液不透過性の裏面層と、これらシートに挟持されている液吸収能を有する吸収層と、から成り、
前記抗菌制菌部、若しくは、前記抗菌部及び／又は制菌部が、前記吸収層内に設けられていることを特徴とする請求項１から６いずれか記載のペットのトイレ用吸液シート。
【請求項８】
前記液透過性の表面層は、白色であることを特徴とする請求項７記載のペットのトイレ用吸液シート。
【請求項９】
前記液不透過性の裏面層は、有色であることを特徴とする請求項７又は８記載のペットのトイレ用吸液シート。
【請求項１０】
前記液透過性の表面層及び／又は前記液不透過性の裏面層は、表裏の区別が可能な識別表示が付されていることを特徴とする請求項７から９いずれか記載のペットのトイレ用吸液シート。
【請求項１１】
ペットが出入りするための開口と、粒状物が撒設される液通過性の底面部と、を備えた粒状物収納容器と、前記粒状物収納容器の前記底面部の下方に位置するところに吸液シートが配置される吸液シート収納容器とからなるペット用トイレにおいて、前記吸液シートは請求項１から１０いずれか記載の吸液シートであるペット用トイレ。
【発明の詳細な説明】
【０００１】
【発明の属する技術分野】
本発明は、ペット用トイレに使用される吸液シートに関する。
【０００２】
【従来の技術】
室内で飼われている猫などのペットが、室内で尿や便を排泄するためのペット用トイレとしては、例えば特許文献１に記載されたものが挙げられる。特許文献１に記載されたペット用トイレは、底部が液透過構造のシートとなっている容器に撥水性の多数の粒状物を入れたものであり、この容器の底部シートの下には支持体に支持された吸収シートが底部シートに密着して設けられている。
【０００３】
このペット用トイレにおいては、尿は撥水性の粒状物間を通り抜け、容器の底部を通過して吸収シートに吸収されるため、容器内には尿が残らず、トイレの清掃は一日に一回吸液シートを取り替えるだけで済む。また、１、２ヶ月に一度、尿や便などで汚れた粒状物を取り替えればよい。
【０００４】
【特許文献１】
特開平１０−２２９７６８号公報
【０００５】
【発明が解決しようとする課題】
しかしながら、特許文献１に記載されたペット用トイレは、一日一回吸液シートを交換することを前提にしているため、一日一回とはいえ毎日ゴミが発生し、手間である。また、粒状物を入れる容器の底部とシートが密着しているため、長時間の使用で吸収量が増えると尿が逆戻りしてしまい、長期間の使用ができないという問題がある。さらには、粒状物が撥水性で液吸収性がないため、粒状物周辺に尿が残って腐敗するばかりでなく、便の水分を取ることもできず、悪臭が発生するという問題もある。従って、ペットの排泄物による悪臭の発生を防止し、かつ、吸液シートや粒状物を交換する手間を極力省いて長期間使用することのできるペット用トイレシステムを提供することが当面の課題とされている。
【０００６】
本発明は、以上のような課題に鑑みてなされたものであり、その目的は、３〜１０日間程度の長期間に亘って使用が可能であり、かつ悪臭の発生を防止できるペット用トイレシステムを提供すること、特に、前記ペット用トイレシステムに供される吸液シートを提供することである。
【０００７】
【課題を解決するための手段】
以上の目的を達成するために、本発明者らは鋭意研究を重ねた結果、本発明に至った。具体的には本発明は以下のようなものを提供する。
【０００８】
（１）  液吸収能を有するペットのトイレ用吸液シートであって、抗菌性及び制菌性を両有する抗菌制菌部を有しているか、若しくは、抗菌性を備える抗菌部及び制菌性を備える制菌部の両方を有していることを特徴とするペットのトイレ用吸液シート。
【０００９】
（１）によれば、吸液シートは抗菌性を有しているので、悪臭の発生を防止でき、長期間使用することができる。また、細菌や病原菌の発育・増殖を阻止することもでき、吸液シートを交換する際の不快感を解消できる。
【００１０】
さらに、制菌性も有しているので、尿の腐敗により生じたアンモニアを中和して悪臭の発生を防止でき、長期間の使用が可能となっている。また、細菌や病原菌の発育・増殖を抑制することができ、吸液シートを交換する際の不快感を解消できる。
【００１１】
（２）  前記抗菌性は、カチオン系界面活性剤を含ませることにより付与されるものであることを特徴とする（１）記載のペットのトイレ用吸液シート。
【００１２】
（２）によれば、抗菌性を付与する成分としてカチオン系界面活性剤が用いられ、好ましくはジデシルジメチルアンモニウムアジペートが用いられる。ジデシルジメチルアンモニウムアジペートは、経口毒性及び皮膚刺激性の面でその他一般の抗菌性付与成分と比較して安全性が高いため、好ましく用いられる。
【００１３】
（３）  前記制菌性は、有機酸を含ませることにより付与されるものであることを特徴とする（１）又は（２）記載のペットのトイレ用吸液シート。
【００１４】
（３）によれば、制菌性を付与する成分として有機酸を用いることにより、尿の腐敗により生じたアンモニアを中和し、悪臭の発生を有効に防止できる。有機酸のうち、クエン酸は結晶であることから、吸液シートの生産性の観点から好ましく用いられる。
【００１５】
（４）  前記抗菌性は、抗菌性を付与する成分により付与されるものであり、該抗菌性を付与する成分が、前記トイレ用吸液シート１枚当たり０．１ｇ以上含有されていることを特徴とする請求項１から３いずれか記載のペットのトイレ用吸液シート。
【００１６】
（４）によれば、抗菌性を付与する成分が吸液シート１枚当たり０．１ｇ以上含有されているので、長期間の使用による悪臭の発生を有効に防止できる。ただし、抗菌性を付与する成分が過剰に含有された場合には、万が一ペットが食べた時の安全性に問題があるので好ましくない。また、抗菌性を付与する成分を過剰に含有させても、得られる効果に大差はない。
【００１７】
（５）  前記制菌性は、制菌性を付与する成分により付与されるものであり、該制菌性を付与する成分が、前記トイレ用吸液シート１枚当たり０．１〜１０．０ｇ含有されていることを特徴とする請求項１から４いずれか記載のペットのトイレ用吸液シート。
【００１８】
（５）によれば、制菌性を付与する成分が吸液シート１枚当たり０．１〜１０．０ｇ含有されているので、尿の腐敗により生じたアンモニアを中和し、悪臭の発生を有効に防止できる。好ましくは、０．２５〜１．０ｇである。制菌性付与成分の含有量が多すぎるとＰＨが下がりすぎてしまい、高吸収性樹脂の吸水性能の低下を招くため、好ましくない。場合によっては、吸収した液が表面側に逆戻りしてしまうこともある。
【００１９】
（６）  前記トイレ用吸液シートは、面積が２０００ｃｍ２以下、厚みが１．５〜５．０ｍｍの範囲のものであり、保水量が４００ｇ以上であることを特徴とする（１）から（５）いずれか記載のペットのトイレ用吸液シート。
【００２０】
（６）によれば、本発明に係る吸液シートは、面積が２０００ｃｍ２以下、厚みが１．５〜５．０ｍｍの範囲のもので、保水量が４００ｇ以上であるため、十分な吸水能力を有しており、長期に亘って使用できる。ここで、本発明でいう保水量は、生理食塩水に１０分間浸漬した吸液シートを１０分間吊るし、１５０Ｇの脱水機で９０秒間脱水した後に保水している水分量をいう。
【００２１】
（７）  前記トイレ用吸液シートは、液透過性の表面層と、液不透過性の裏面層と、これらシートに挟持されている液吸収能を有する吸収層と、から成り、前記抗菌制菌部、若しくは、前記抗菌部及び／又は制菌部が、前記吸収層内に設けられていることを特徴とする（１）から（６）いずれか記載のペットのトイレ用吸液シート。
【００２２】
（７）によれば、（１）よりもさらに悪臭の発生を有効に防止し、長期間の使用が可能な吸液シートを提供できる。例えば、吸収層によって、抗菌制菌部、若しくは、抗菌部及び／又は制菌部をサンドイッチし、吸収層を２層以上に分けて設けた場合には、吸収層を単層とした場合と比較して、液が下側に移行しやすく、吸水性能を向上させることができる。また、人間の皮膚等に対して刺激性のある抗菌剤が表面へ染み出すのを防止したり、粉末状の制菌剤を吸液シート中で固定することができる。さらには、吸収層を単層とした場合には、本発明で必要とされる保水量を確保するために、層の厚みが増し、高吸収性樹脂のブロッキングによる吸水性能の低下が生じるが、吸収層を２層以上に分けて設けることによりこれを回避できる。
【００２３】
（８）  前記液透過性の表面層は、白色であることを特徴とする（７）記載のペットのトイレ用吸液シート。
【００２４】
（８）によれば、液透過性の表面層を白色とすることにより、ペットの尿の量及び色を把握することができ、ひいてはペットの健康状態を知ることができる。現在、市販されているペットシートはシートの表裏を区別するために吸収面が着色されたものであることから、ペットの健康状態を把握できるという効果は従来にはない、本発明による新たな効果である。
【００２５】
（９）  前記液不透過性の裏面層は、有色であることを特徴とする（７）又は（８）記載のペットのトイレ用吸液シート。
【００２６】
（９）によれば、液不透過性の裏面層を有色とすることにより、吸液シートの表面と裏面を区別することができ、使用する際に間違いを防止できる。
【００２７】
（１０）  前記液透過性の表面層及び／又は前記液不透過性の裏面層は、表裏の区別が可能な識別表示が付されていることを特徴とする（７）から（９）いずれか記載のペットのトイレ用吸液シート。
【００２８】
（１０）によれば、液透過性の表面層及び／又は液不透過性の裏面層に、表裏の区別が可能な識別表示が付されており、使用する際に表裏の間違いを有効に防止できる。識別表示としては、このような文字の他、模様、社名、ハウスマークなどを付することができ、宣伝効果等を持たせることも可能である。例えば、液透過性の表面層に色落ちしないように「おもて」と印刷するなどでもよい。
【００２９】
（１１）  ペットが出入りするための開口と、粒状物が撒設される液通過性の底面部と、を備えた粒状物収納容器と、前記粒状物収納容器の前記底面部の下方に位置するところに吸液シートが配置される吸液シート収納容器とからなるペット用トイレにおいて、前記吸液シートは（１）から（１０）いずれか記載の吸液シートであるペット用トイレ。
【００３０】
（１１）によれば、本発明に係る吸液シートは、ペットが出入りするための開口と、粒状物が撒設される液通過性の底面部と、を備えた粒状物収納容器と、前記粒状物収納容器の前記底面部の下方に位置するところに吸液シートが配置される吸液シート収納容器とからなるペット用トイレに、液透過性が高く、かつ吸液性のある粒状物とともに用いられるものである。このようなペット用トイレシステムに、本発明に係るペット用吸液シートを供することにより、３〜１０日間程度の長期間の使用が可能であるペット用トイレを提供することができる。
【００３１】
【発明の実施の形態】
以下、本発明の実施形態について、図面を参照しながら説明する。なお、第２実施形態の説明において、第１実施形態と共通する構成及び効果の説明については省略する。
【００３２】
＜第１実施形態＞
［吸液シートの全体構成］
図１は本発明に係る吸液シートの第１実施形態の断面図である。吸液シート１は、面積が２０００ｃｍ２以下、厚みが１．５〜５．０ｍｍの範囲のものであり、保水量が４００ｇ以上の吸水能力を有するものである。吸液シート１は、液透過性の表面層１１と、液不透過性の裏面層１７と、これら液透過性の表面層１１と液不透過性の裏面層１７とに挟持される、液吸収能を有する上方吸収層１８及び下方吸収層１９を有している。液透過性の表面層１１は白色であり、液不透過性の裏面層１７は有色である。上方吸収層１８と下方吸収層１９によって、抗菌部１４と制菌部１３が互いに接して形成された抗菌制菌部１５が挟持されている。上方吸収層１８及び下方吸収層１９は、いずれもパルプ及び高吸収性樹脂を含有している。上方吸収層１８と液透過性の表面層１１によって、上層ティッシュ１２が挟持されており、下方吸収層１９と液不透過性の裏面層１７によって、下層ティッシュ１６が挟持されている。上層ティッシュ１２及び下層ティッシュ１６はいずれも白色である。
【００３３】
［抗菌部］
抗菌部１４は、抗菌性を付与する成分（以下、抗菌性付与成分という。）が含有されており、抗菌性付与成分としては、カチオン系界面活性剤のうち、ジデシルジメチルアンモニウムアジペートが用いられるが、これに限らず、他のカチオン系界面活性剤であってもよい。ジデシルジメチルアンモニウムアジペートは、経口毒性及び皮膚刺激性の面でその他一般の抗菌性付与成分と比較して安全性が高いため好ましく用いられる。
【００３４】
抗菌性付与成分の含有量は、吸液シート１枚当たり０．１ｇ以上である。吸液シートに抗菌性を付与させるためには、この含有量で十分である。前述したように、抗菌性を付与する成分が過剰に含有された場合には、万が一ペットが食べた時の安全性に問題があるので好ましくない。また、抗菌性を付与する成分を過剰に含有させても、得られる効果に大差はない。なお、使用目付けは１〜１０ｇ／ｍ２である。
【００３５】
［制菌部］
制菌部１３は、制菌性を付与する成分（以下、制菌性付与成分という。）が含有されており、制菌性付与成分としては有機酸のうち、クエン酸が用いられるが、これに限らず、他の有機酸であってもよい。クエン酸は結晶であることから、吸液シートの生産性の観点から好ましく用いられる。
【００３６】
制菌性付与成分の含有量は、吸液シート１枚当たり０．１〜１０．０ｇである。好ましくは、０．２５〜１．０ｇである。前述した通り、制菌性付与成分の含有量が多すぎると、図４に示したＰＨと高吸収性樹脂吸保水の関係からも明らかであるように、ＰＨの低下による高吸収性樹脂の吸水能力の低下を招く。なお、使用目付けは５〜５０ｇ／ｍ２である。
【００３７】
［吸収層］
吸収層は上方吸収層１８及び下方吸収層１９の２層があり、いずれの吸収層もパルプ及び高吸収性樹脂を含有している。前述した通り、このように吸収層を２層以上に分けて設けることにより、吸収層を単層とした場合と比較して、液が下側に移行しやすく、吸水能力を向上させることができる。また、吸収層を単層とした場合には、本発明で必要とされている保水量を確保するために層の厚みが増し、高吸収性樹脂がブロッキングを起こしてしまう結果、吸水能力が低下してしまうこともある。この点から、吸収層は２層以上に分けて設けてある。
【００３８】
上方吸収層１８及び下方吸収層１９の内部は、粉砕したパルプの間に高吸収性樹脂が介在している。高吸収性樹脂としては、ポリアクリル酸系ポリマーの他、デンプン−アクリル酸系ポリマーなどの一般的に吸収性の高いポリマーが使用可能である。これらの吸収層は、粉砕したパルプを積層した後、高吸収性樹脂を塗布することにより形成される。
【００３９】
上方吸収層１８におけるパルプの目付は５０〜１５０ｇ／ｍ２であり、高吸収性樹脂の目付は３０〜１００ｇ／ｍ２である。また、下方吸収層１９におけるパルプの目付は１５０〜３００ｇ／ｍ２であり、高吸収性樹脂の目付は３０〜２００ｇ／ｍ２である。さらに、パルプの合計含有量は、２００〜４５０ｇ／ｍ２であり、高吸収性樹脂の合計含有量は、６０〜６００ｇ／ｍ２である。
【００４０】
［液透過性の表面層及び液不透過性の裏面層］
液透過性の表面層１１には、ポリプロピレンポイントボンド不織布の他、スルーエア、スパンレース、スパンボンドなどが使用される。また、液不透過性の裏面層１７には、ポリエチレン、ポリプロピレン、ポリエチレンテレフタレートなどが用いられる。
【００４１】
液透過性の表面層１１は白色であるため、ペットの尿の量、色を把握することができ、ひいてはペットの健康状態を知ることができる。
【００４２】
液不透過性の裏面層１７は有色である。前述した通り、液透過性の表面層１１を白色としたため、液不透過性の裏面層１７を有色とすることにより、表裏の区別が可能となる。
【００４３】
また、液透過性の表面層１１及び／又は液不透過性の裏面層１７は、表裏の区別が可能な識別表示が付することもできる。表裏の区別が可能な識別表示が付されていれば、使用の際に表裏の間違いを防止できるからである。
【００４４】
［使用態様］
図３は、本発明に係る吸液シートの使用態様を示したものである。本発明に係る吸液シート１は、ペットの出入り口を規制（特定）するためのカバー３３、粒状物が撒設される液通過性の底面部と、を備えた粒状物収納容器３２と、前記粒状物収納容器３２の前記底面部の下方に位置するところに吸液シート１が配置される吸液シート収納容器３１とからなるペット用トイレに、粒状物３４とともに供される。粒状物３４は液通過性が高く、かつ吸液性があることを特徴としたシリカゲルであり、図３に示したペット用トイレは、前記底面部の吸液シート１に対面する側に連続アーチ状の液誘導部を備えている。
【００４５】
［第１実施形態に関わる効果］
第１実施形態における吸液シートにおいては、抗菌部１４と制菌部１３が互いに接することにより形成される抗菌制菌部１５の表裏面側に、吸収層が上方吸収層１８及び下方吸収層１９の２層に分かれて設けられている。このように、吸収層を２層以上に分けて設けることにより、吸収層を単層とした場合と比較して、液が下側に移行しやすく、吸水能力を向上させることができる。
【００４６】
また、抗菌部１４と制菌部１３が互いに接することにより形成される抗菌制菌部１５を、上方吸収層１８及び下方吸収層１９でサンドイッチしており、人間の皮膚等に対して刺激性のある抗菌性を付与する成分が表面へ染み出すのを防止する効果や、粉末状の制菌性を付与する成分を吸液シート中で固定する効果がある。
【００４７】
そして、抗菌性付与成分を吸液シート中に含有させていため、悪臭の発生を有効に防止することができ、吸液シートの長期間の使用が可能となっている。
【００４８】
さらに、制菌性付与成分も吸液シート中に含有させているため、尿の腐敗により発生するアンモニアを中和し、悪臭の発生を防止することができる。また、前述した通り、制菌性付与成分はアンモニアとの中和反応により、ＰＨの上昇を抑制し、ＰＨコントロール剤としての機能を有する。図４に示したＰＨと高吸収性樹脂吸保水の関係からも明らかであるように、吸収層に用いられる高吸収性樹脂の吸水性能はＰＨに依存しており、ＰＨの上昇は高吸収性樹脂の吸水性能を低下させる。従って、制菌性付与成分は高吸収性樹脂の吸水性能の低下を抑制する効果もある。
【００４９】
図３に示されたような使用態様において本発明に係る吸液シートを供することにより、ペットの尿はスムーズに吸液シートに移行して吸収されるため、長期間に亘って使用が可能であり、かつ悪臭の発生を防止できるペット用トイレシステムを提供することができる。
【００５０】
＜第２実施形態＞
［吸液シートの全体構成］
図２は本発明に係る吸液シートの第２実施形態の断面図である。液透過性の表面層１１、液不透過性の裏面層１７、上層ティッシュ１２、下層ティッシュ１６については、第１実施形態と同様である。第１実施形態と異なる点は、第２実施形態における吸収層２０が、第１実施形態における上方吸収層１８又は下方吸収層１９と抗菌部１４及び制菌部１３とが混在したものである点のみである。即ち、第２実施形態における吸収層２０は、パルプ及び高吸収性樹脂のみならず、抗菌部１４及び制菌部１３をも含有するものである。この第２実施態様のように、吸収層を単層とした場合であっても、本発明で必要とされる保水量が確保できれば問題は無い。
【００５１】
［第２実施形態に関わる効果］
第１実施形態における効果と同様の効果の他、第１実施形態と比較して、吸液シートの製造が簡略であるという効果がある。
【００５２】
【実施例】
以下、本発明の第１実施形態の実施例について説明するが、本発明はこの実施例に限定されるものではない。
【００５３】
本発明の第１実施形態における吸液シートを以下のように製造した。
【００５４】
（Ａ）  まず、下層ティッシュに粉砕したパルプを積層し、そこにポリアクリル酸系の高吸収性樹脂を散布することにより下方吸収層を作成した。さらに、作成した下方吸収層上に抗菌性付与成分であるジデシルジメチルアンモニウムアジペート、制菌性付与成分であるクエン酸を順に散布して抗菌部及び制菌部を作成した。
【００５５】
（Ｂ）  次いで、上層ティッシュに粉砕したパルプを積層した後、そこにポリアクリル酸系の高吸収性樹脂を散布することにより上方吸収層を作成した。
【００５６】
（Ｃ）  （Ａ）及び（Ｂ）により得られたもの同士を、制菌部と上方吸収層が接するように接合した後、上層ティッシュ上に液透過性の表面層としてポリプロピレンポイントボンド不織布を配置し、下層ティッシュの下に液不透過性の裏面層としてポリエチレンを配置して吸液シートを得た。
【００５７】
得られた吸液シートを、ペットが出入りするための開口と、粒状物が撒設される液通過性の底面部と、を備えた粒状物収納容器と、前記粒状物収納容器の前記底面部の下方に位置するところに吸液シートが配置される吸液シート収納容器とからなるペット用トイレに、液通過性が高く、かつ吸液性のある粒状物とともに供する。これにより、長期間に亘って使用が可能であり、かつ悪臭の発生を防止できるペット用トイレシステムを提供することができた。
【００５８】
【発明の効果】
以上説明したように、本発明に係る吸液シートは、抗菌性及び制菌性を両有する抗菌制菌部を有しているか、若しくは、抗菌性を備える抗菌部及び制菌性を備える制菌部の両方を有しているため、長期間の使用でも悪臭の発生を防止できる。
【００５９】
また、本発明に係る吸液シートは、面積が２０００ｃｍ２以下、厚みが１．５〜５．０ｍｍの範囲のものであり、保水量が４００ｇ以上であるため、十分な吸水能力を有しており、長期に亘って使用できる。
【００６０】
さらに、本発明に係る吸液シートは、ペットが出入りするための開口と、粒状物が撒設される液通過性の底面部と、を備えた粒状物収納容器と、前記粒状物収納容器の前記底面部の下方に位置するところに吸液シートが配置される吸液シート収納容器とからなるペット用トイレに、液通過性が高く、かつ吸液性のある粒状物とともに供されることにより、長期間に亘って使用が可能であり、かつ悪臭の発生を防止できるペット用トイレシステムを提供することができる。
【図面の簡単な説明】
【図１】本発明の吸液シートの第１実施形態の断面図である。
【図２】本発明の吸液シートの第２実施形態の断面図である。
【図３】本発明の吸液シートの使用態様を示した図である。
【図４】本発明の吸液シートに使用される高吸収性樹脂の吸保水とＰＨとの関係を示した図である。
【符号の説明】
１、２  吸液シート
１１  液透過性の表面層
１２  上層ティッシュ
１３  制菌部
１４  抗菌部
１５  抗菌制菌部
１６  下層ティッシュ
１７  液不透過性の裏面層
１８  上方吸収層
１９  下方吸収層
２０  吸収層
３１  吸液シート収納容器
３２  粒状物収納容器
３３  ペットの出入りを規制（特定）するためのカバー
３４  粒状物
【図１】
2005006604.tif 000003
【図２】
2005006604.tif 000004
【図３】
2005006604.tif 000005
【図４】
2005006604.tif 000006